(57)【要約】      （修正有）【課題】蛍光灯照明器具のどの差込孔にも対応できる、蛍光灯型ＬＥＤランプを提供する。【解決手段】複数個のＬＥＤが取付けられた支持板４と、支持板４の両端にそれぞれ２個直接又は間接的に設けられ、蛍光灯照明器具のソケットの差込孔に嵌合させられる装着用突起５〜８と、支持板４の上面に設けられ、両端部にそれぞれ設けられた装着用突起５〜８と配線１０Ａ，１０Ｂ，１１Ａ，１１Ｂ，１３で接続され、ＬＥＤに供給する電圧を変換するＡＣ／ＤＣ変換器９とを備えている。一方の２個の第１及び第２の装着用突起５、６とＡＣ／ＤＣ変換器９とをそれぞれ結ぶ２本の第１及び第２の配線部分１０Ａ，１０Ｂ，１１Ａ，１１Ｂには、第１及び第２の装着用突起５、６との接続と、その逆に第１の配線１０Ａを第２の装着用突起６に、第２の配線１１Ａを第１の装着用突起５に接続する２つの接続を選択的に切り替えることが可能なスイッチ３０を設けた。【選択図】図１
0003142486.tif 000002
【実用新案登録請求の範囲】
【請求項１】
複数個のＬＥＤが取付けられた支持板と、この支持板の両端にそれぞれ２個直接又は間接的に設けられ、蛍光灯照明器具のソケットの差込孔に嵌合させられる装着用突起と、前記支持板の上面に設けられ、両端部にそれぞれ設けられた前記装着用突起と配線で接続され、前記ＬＥＤに供給する電圧を変換するＡＣ／ＤＣ変換器とを備えた蛍光灯型ＬＥＤランプにおいて、前記一方の２個の第１及び第２の装着用突起と前記ＡＣ／ＤＣ変換器とをそれぞれ結ぶ２本の第１及び第２の配線部分には、第１及び第２の配線と第１及び第２の装着用突起との接続と、その逆に第１の配線を第２の装着用突起に、第２の配線を第１の装着用突起に接続する２つの接続を選択的に切り替えることが可能なスイッチを設けたことを特徴とする蛍光灯型ＬＥＤランプ。
【請求項２】
前記第１及び第２の配線は切断されて一定の間隔を有し、この配線の対向した端部には、第１の配線の第１及び第２の端子と、第２の配線の第１及び第２の端子とを有し、前記スイッチは、前記第１の配線の第１及び第２の端子を接続すると共に、前記第２の配線の第１及び第２の端子を接続する第１のスイッチ部と、前記第１の配線の第１の端子と前記第２の配線の第２の端子を接続すると共に、前記第２の配線の第１の端子を前記第１の配線の第２の端子に接続する第２のスイッチ部とを有し、前記第１及び第２のスイッチ部は選択的に切り替え可能に設けられていることを特徴とする請求項１記載の蛍光灯型ＬＥＤランプ。
【考案の詳細な説明】
【技術分野】
【０００１】
本考案は、既製の蛍光灯照明器具にその蛍光灯に代えて取付けて使用することができる蛍光灯型ＬＥＤランプに関する。
【背景技術】
【０００２】
蛍光灯型ＬＥＤランプとして、例えば特許文献１〜３が挙げられる。
【特許文献１】特開２００１−３５１４０２号公報
【特許文献２】特開２００４−３０３６１４号公報
【特許文献３】特開２００７−１２２９３３号公報
【０００３】
一例として、特許文献１の構造を図２によって説明する。蛍光灯型ＬＥＤランプ１の透明なパイプ２の端部はベースキャップ３で塞がれており、パイプ２の内側には支持板４が取付けられている。支持板４の両端には、それぞれ２本の装着用突起５、６，７、８が接続されており、装着用突起５、６，７、８の先端は、前記ベースキャップ３から外側に突設している。支持板４の上面には、ＡＣ／ＤＣ変換器９が設けられ、装着用突起５、６，７、８とＡＣ／ＤＣ変換器９とは、支持板４上に形成された配線１０、１１，１２、１３で接続されている。ＡＣ／ＤＣ変換器９は電圧制御部１４に接続されている。支持板４の下面には、複数個のＬＥＤ１５が配設されており、ＬＥＤ１５は電圧制御部１４に接続されている。
【０００４】
このように構成された蛍光灯型ＬＥＤランプ１は、蛍光灯と同様に、図示しない蛍光灯照明器具のソケットの差込孔に装着用突起５、６，７、８を嵌合させて取付けて使用される。
【考案の開示】
【考案が解決しようとする課題】
【０００５】
蛍光灯照明器具のソケットの差込孔は、使用される蛍光灯の種類により、その両端に有する電極の＋（プラス）と−（マイナス）の位置が左右両端が同じ極になっているものと、左側に対して右側の２極が逆になっている２種類が存在する。そこで、蛍光灯に代えて蛍光灯型ＬＥＤランプを使用した場合、蛍光灯型ＬＥＤランプは蛍光灯と異なり、同じ方向に電流が流れる差込孔しか使用できない。差込孔の電極が左右異なる状態であればそのまま使用できる。しかし、左右の極の位置が同じ場合には、蛍光灯型ＬＥＤランプの方で結線の状態を変更する必要があった。即ち、２種類の蛍光灯型ＬＥＤランプを用意する必要があった。或いは、蛍光灯型ＬＥＤランプとソケットが一体となった蛍光灯照明器具全体との交換が必要であった。
【０００６】
本考案の課題は、蛍光灯照明器具のどの差込孔にも対応でき、大幅なコスト低減が可能な蛍光灯型ＬＥＤランプを提供することにある。
【課題を解決するための手段】
【０００７】
上記課題を解決するための本考案の請求項１は、複数個のＬＥＤが取付けられた支持板と、この支持板の両端にそれぞれ２個直接又は間接的に設けられ、蛍光灯照明器具のソケットの差込孔に嵌合させられる装着用突起と、前記支持板の上面に設けられ、両端部にそれぞれ設けられた前記装着用突起と配線で接続され、前記ＬＥＤに供給する電圧を変換するＡＣ／ＤＣ変換器とを備えた蛍光灯型ＬＥＤランプにおいて、前記一方の２個の第１及び第２の装着用突起と前記ＡＣ／ＤＣ変換器とをそれぞれ結ぶ２本の第１及び第２の配線部分には、第１及び第２の配線と第１及び第２の装着用突起との接続と、その逆に第１の配線を第２の装着用突起に、第２の配線を第１の装着用突起に接続する２つの接続を選択的に切り替えることが可能なスイッチを設けたことを特徴とする。
【０００８】
上記課題を解決するための本考案の請求項２は、上記請求項１において、前記第１及び第２の配線は切断されて一定の間隔を有し、この配線の対向した端部には、第１の配線の第１及び第２の端子と、第２の配線の第１及び第２の端子とを有し、前記スイッチは、前記第１の配線の第１及び第２の端子を接続すると共に、前記第２の配線の第１及び第２の端子を接続する第１のスイッチ部と、前記第１の配線の第１の端子と前記第２の配線の第２の端子を接続すると共に、前記第２の配線の第１の端子を前記第１の配線の第２の端子に接続する第２のスイッチ部とを有し、前記第１及び第２のスイッチ部は選択的に切り替え可能に設けられていることを特徴とする。
【考案の効果】
【０００９】
スイッチにより、第１及び第２の配線と第１及び第２の装着用突起との接続と、その逆に第１の配線を第２の装着用突起に第２の配線を第１の装着用突起に接続する２つの接続を選択的に切り替えることができる。そこで、一方の装着用突起が−極であったものを＋極に、他方の装着用突起が＋極であったものを−極に逆にすることができる。即ち、蛍光灯照明器具の差込孔の左右の極の位置が異なっていても、同じである場合にも、スイッチによって切り替えることができる。このように、スイッチを設けることにより、２種類の蛍光灯型ＬＥＤランプを用意するする必要がない。即ち、蛍光灯照明器具のどの差込孔にも対応でき、大幅なコスト低減が可能となった。
【考案を実施するための最良の形態】
【００１０】
本考案の蛍光灯型ＬＥＤランプの一実施の形態を図１により説明する。なお、図２と同じ又は相当部材には同一符号を付し、その詳細な説明は省略する。
【００１１】
支持板４には、図１（ｂ）に示すように、配線１０、１１が切断されて配線１０Ａ、１０Ｂ，１１Ａ、１１Ｂに形成されており、配線１０Ａと１０Ｂ、１１Ａと１１Ｂの対向する端部は一定の間隔を有し、その端部には上方に突出した端子２０、２１，２２、２３が形成されている。
【００１２】
前記端子２０、２１，２２、２３に対応したパイプ２の上方部には、図１（ａ）に示すように、スイッチ３０が摺動可能に設けられている。スイッチ３０の下面には、上方から透視して見ると、図１（ｃ）に示すように、端子３１〜３６及び配線４０〜４３が形成されており、端子３１〜３６に対応した部分を囲むパイプ２の内側部分は、端子３１〜３６がパイプ２に干渉しないように、四角形状の窓が形成されている。
【００１３】
図１（ｃ）に示すように、スイッチ３０の下面には、支持板４上の端子２０、２１，２２、２３に対応して端子３１、３２，３３、３４が形成されている。更に、スイッチ３０の下面には、端子３１と３２、３３と３４の間隔離れて端子３２、３４側には端子３５、３６が形成されている。端子３１と３２、３３と３４は、それぞれ配線４０、４１で接続されている。また端子３２と３６、３４と３５は、それぞれ配線４２、４３で接続されており、配線４２と４３はクロスしている。そこで、配線４２と４３が接触しないように、クロス部分は絶縁部材が設けられ、立体的に交叉している。即ち、端子３１、３２，３３、３４と配線４０、４１で第１のスイッチを構成し、端子３２、３６，３４、３５と配線４２、４３で第２のスイッチを構成している。
【００１４】
前記端子３１〜３６は下方に突出しており、図示しないスプリングで下方に付勢されている。そして、端子３１〜３４が端子２０〜２３に対応した時は、端子３１〜３４が端子２０〜２３に圧接するようになっている。、また端子３２、３５，３４、３６が端子２０、２１，２２、２３に対応した時は、端子３２、３５，３４、３６は端子２０、２１，２２、２３に圧接するようになっている。
【００１５】
スイッチ３０の左右の移動範囲は、図示しないストッパで規制されている。スイッチ３０が左側に位置した時は、端子３１、３２，３３、３４が端子２０、２１，２２、２３に対応して接触している。スイッチ３０が右側に位置した時は、端子３２、３５，３４、３６が端子２０、２１，２２、２３に対応して接触している。
【００１６】
次に作用について説明する。スイッチ３０を左側に位置させると、図１（ｄ）に示すように、端子２０、２１，２２、２３に端子３１、３２，３３、３４が接触する。これにより、配線１０Ａと１０Ｂ、１１Ａと１１Ｂは、それぞれ配線４０、４１で接続される。例えば、装着用突起７が＋極で、装着用突起８が−極、装着用突起５が−極で、装着用突起６が＋極で使用する場合には、スイッチ３０を左側に位置させた状態でよい。この場合、端子３５、３６はそれぞれ配線１０Ｂ、１１Ｂ上に位置するが、端子３５、３６に対応して支持板４上には端子がないので、配線４２、４３は配線１０Ｂ、１１Ｂに接続されていない。
【００１７】
スイッチ３０を右側にスライドさせると、図１（ｅ）に示すように、端子２０、２１，２２、２３に端子３２、３５，３４、３６が接続される。これにより、配線１０Ａと１１Ｂ、１１Ａと１０Ｂは、それぞれ配線４２、４３で接続される。そこで、例えば、前記のように装着用突起５が−極であったものを＋極に、装着用突起６が＋極であったものを−極に逆にすることができる。即ち、蛍光灯照明器具の差込孔の左右の極の位置が異なっていても、同じである場合にも、スイッチ３０によって切り替えることができる。このように、スイッチ３０を設けることにより、２種類の蛍光灯型ＬＥＤランプ１を用意するする必要がない。
【００１８】
本実施の形態においては、スイッチとしてスライドスイッチ３０を設けたが、これに限定されるものではない。例えば、端子２０と２１及び２０と２３を選択的に接続できるスナップスイッチと、端子２２と２３及び２２と２１を選択的に接続できるスナップスイッチを用いてもよい。また本実施の形態においては、特許文献１の蛍光灯型ＬＥＤランプに適用した場合について説明したが、特許文献２及び３の蛍光灯型ＬＥＤランプにも同様に適用できることは言うまでもない。特許文献３に適用した場合は、装着用突起は間接的に支持板に取付けられることになる。
【図面の簡単な説明】
【００１９】
【図１】本考案の蛍光灯型ＬＥＤランプの一実施の形態を示し、（ａ）は平面図、（ｂ）は支持板の要部平面図、（ｃ）はスイッチの端子及び配線を上方から透視して見た透視図、（ｄ）は支持板の配線とスイッチの配線の接続状態の平面説明図、（ｅ）は支持板の配線とスイッチの配線の他の接続状態の平面説明図である。
【図２】従来の蛍光灯型ＬＥＤランプの一例を示し、（ａ）は底面図、（ｂ）は平面図、（ｃ）は正面面図である。
【符号の説明】
【００２０】
１    蛍光灯型ＬＥＤランプ
２    パイプ
３    ベースキャップ
４    支持板
５〜８    装着用突起
１０、１０Ａ、１０Ｂ、１１、１１Ａ、１１Ｂ、１２、１３    配線
１５    ＬＥＤ
２０〜２３    端子
３０    スイッチ
３１〜３６    端子
４０〜４３    配線
【図１】
0003142486.tif 000003
【図２】
0003142486.tif 000004